(57)【特許請求の範囲】
【請求項１】
上方と前方とが開放された受け部と，この受け部を構成する側板と仕切板とを有する本体と、この本体の前記受け部に対し、その前方側に回動可能に支持され、前記受け部とともに物入れ部を形成する回動部材とを備え、
前記回動部材の側部に位置し，前記受け部を構成する側板または仕切板は、その前部側の厚さに比べて背部側の厚さの方が大きくなっているととともに，前記回動部材の幅は、前部側の幅が背部側の幅に比べて大きくなっており，
前記回動部材が、前板とこの前板と一体に形成された底板とを有し、背板を有していないことを特徴とする小物入れ。
【請求項２】
上方と前方とが開放された受け部と，この受け部を構成する側板と仕切板とを有する本体と、この本体の前記受け部に対し、その前方側に回動可能に支持され、前記受け部とともに物入れ部を形成する回動部材とを備え、
前記回動部材の側部に位置し，前記受け部を構成する側板または仕切板は、その前部側の厚さに比べて背部側の厚さの方が大きくなっているととともに，前記回動部材の幅は、前部側の幅が背部側の幅に比べて大きくなっており，
前記回動部材が本体側に向かって回動した際、回動部材の底板上面が、水平線よりも、本体側に向かって下り傾斜状となることを特徴とする小物入れ。
【請求項３】
上方と前方とが開放された受け部と，この受け部を構成する側板と仕切板とを有する本体と、この本体の前記受け部に対し、その前方側に回動可能に支持され、前記受け部とともに物入れ部を形成する回動部材とを備え、
前記回動部材の側部に位置し，前記受け部を構成する側板または仕切板は、その前部側の厚さに比べて背部側の厚さの方が大きくなっているととともに，前記回動部材の幅は、前部側の幅が背部側の幅に比べて大きくなっており，
前記回動部材の、受け部の前方側への回動位置を規制するストッパが、本体側に設けられていることを特徴とする小物入れ。
【請求項４】
前記ストッパの上面が、前記受け部の内側に向かって下り傾斜状となっていることを特徴とする請求項３記載の小物入れ。
【請求項５】
上方と前方とが開放された受け部と，この受け部を構成する側板と仕切板とを有する本体と、この本体の前記受け部に対し、その前方側に回動可能に支持され、前記受け部とともに物入れ部を形成する回動部材とを備え、
前記回動部材の側部に位置し，前記受け部を構成する側板または仕切板は、その前部側の厚さに比べて背部側の厚さの方が大きくなっているととともに，前記回動部材の幅は、前部側の幅が背部側の幅に比べて大きくなっており，
前記回動部材は、その左右方向両端部分においてのみ前記本体によって回動可能に支持されていることを特徴とする小物入れ。
【発明の詳細な説明】
【０００１】
【発明の属する技術分野】
本発明は、小物入れに関するものである。主として、台所で使用されるラップケースやアルミホイルケース等、縦長の小物を入れるのに適した小物入れに関するものである。
【０００２】
【従来の技術】
従来、ラップケース等を入れるためのものではないけれども、歯ブラシを立てて入れるものとして、図７に示すような歯ブラシ立てが知られている（実開昭５６−８７８９３号公報）。
この歯ブラシ立ては、上方Ｕと前方Ｆとが開放された受け部１を有する本体２と、この本体２の受け部１に対し、その前方Ｆ側に回動可能に支持され、受け部１とともに物入れ部３を形成する回動部材４とを備えている。
回動部材４は、前板４ａ、側板４ｂ、４ｂ、底板４ｃ、および背板４ｄで一体に形成された箱体となっており、前板４ａと底板４ｃとの間に形成された左右に伸びる凹部４ｅが、同じく本体２の受け部１の下部において左右に伸びるように形成された凸部４ｆと係合することで、本体２に対して回動可能となっている。
回動部材４の背板４ｄの背面下部には突片４ｇが形成されており、回動部材４が図（ｂ）に仮想線で示すように前方Ｆ側に回動した際、突片４ｇが、本体２の背板２ｄの下縁２ｄ１に当接することで、回動部材４の前方Ｆ側への回動位置が規制されるようになっている。
このような歯ブラシ立てによれば、小物（図示せず）を物入れ部３に対して出し入れする際に、回動部材４が図（ｂ）に仮想線で示すように前方Ｆ側に回動するので容易に出し入れすることができる。
【０００３】
【発明が解決しようとする課題】
上述した従来の歯ブラシ立てには次のような課題がある。
＜課題１＞
上述した歯ブラシ立てのような構造のものを、ラップケース等の物入れとして適用しようとすると、物入れ部３にラップケース等（図示せず）を入れる際に、ラップケース等の下端が回動部材４の背板４ｄの上縁部４ｄ１に当接して、入れ難いという問題がある。
＜課題２＞
回動部材４が本体２側に向かって図７（ｂ）に実線で示すように回動した際、回動部材４の底板４ｃの上面４ｃ１が略水平となるため、物入れ部３に入れられたラップケース等の状態が安定しないという問題がある。
＜課題３＞
回動部材４の、受け部１の前方Ｆ側への回動位置（図７（ｂ）仮想線参照）を規制するストッパである突片４ｇが回動部材４側に設けられているので、回動部材４が本体２側に向かって図７（ｂ）に実線で示すように回動した際に（閉じた際に）、上記突片４ｇを逃がすためのスペースＳが本体２の背部に必要となり、このスペースＳがデッドスペースになってしまうという問題がある。
＜課題４＞
回動部材４は、その左右に伸びる凹部４ｅが、同じく本体２の受け部１の下部において左右に伸びるように形成された凸部４ｆと、左右方向全長に亘って係合することで、本体２に対して回動可能に支持されているので、回動部材の回動動作が円滑ではないという問題がある。
【０００４】
本発明の第１の目的は、上記課題１を解決し、ラップケース等の小物を入れやすい小物入れを提供することにある。
第２の目的は、上記課題２を解決し、物入れ部に入れられたラップケース等の小物の状態が安定する小物入れを提供することにある。
本発明の第３の目的は、上記課題３を解決し、本体背部にデッドスペースが生じない小物入れを提供することにある。
本発明の第４の目的は、上記課題４を解決し、回動部材の円滑な回動動作が得られる小物入れを提供することにある。
【０００５】
【課題を解決するための手段】
上記第１の目的を達成するために請求項１記載の小物入れは、上方と前方とが開放された受け部と，この受け部を構成する側板と仕切板とを有する本体と、この本体の前記受け部に対し、その前方側に回動可能に支持され、前記受け部とともに物入れ部を形成する回動部材とを備え、
前記回動部材の側部に位置し，前記受け部を構成する側板または仕切板は、その前部側の厚さに比べて背部側の厚さの方が大きくなっているととともに，前記回動部材の幅は、前部側の幅が背部側の幅に比べて大きくなっており，
前記回動部材が、前板とこの前板と一体に形成された底板とを有し、背板を有していないことを特徴とする。
上記第２の目的を達成するために請求項２記載の小物入れは、上方と前方とが開放された受け部と，この受け部を構成する側板と仕切板とを有する本体と、この本体の前記受け部に対し、その前方側に回動可能に支持され、前記受け部とともに物入れ部を形成する回動部材とを備え、
前記回動部材の側部に位置し，前記受け部を構成する側板または仕切板は、その前部側の厚さに比べて背部側の厚さの方が大きくなっているととともに，前記回動部材の幅は、前部側の幅が背部側の幅に比べて大きくなっており，
前記回動部材が本体側に向かって回動した際、回動部材の底板上面が、水平線よりも、本体側に向かって下り傾斜状となることを特徴とする。
上記第３の目的を達成するために請求項３記載の小物入れは、上方と前方とが開放された受け部と，この受け部を構成する側板と仕切板とを有する本体と、この本体の前記受け部に対し、その前方側に回動可能に支持され、前記受け部とともに物入れ部を形成する回動部材とを備え、
前記回動部材の側部に位置し，前記受け部を構成する側板または仕切板は、その前部側の厚さに比べて背部側の厚さの方が大きくなっているととともに，前記回動部材の幅は、前部側の幅が背部側の幅に比べて大きくなっており，
前記回動部材の、受け部の前方側への回動位置を規制するストッパが、本体側に設けられていることを特徴とする。
請求項４記載の物入れは、請求項３記載の小物入れにおいて、前記ストッパの上面が、前記受け部の内側に向かって下り傾斜状となっていることを特徴とする。
上記第４の目的を達成するために請求項５記載の小物入れは、上方と前方とが開放された受け部と，この受け部を構成する側板と仕切板とを有する本体と、この本体の前記受け部に対し、その前方側に回動可能に支持され、前記受け部とともに物入れ部を形成する回動部材とを備え、
前記回動部材の側部に位置し，前記受け部を構成する側板または仕切板は、その前部側の厚さに比べて背部側の厚さの方が大きくなっているととともに，前記回動部材の幅は、前部側の幅が背部側の幅に比べて大きくなっており，
前記回動部材は、その左右方向両端部分においてのみ前記本体によって回動可能に支持されていることを特徴とする。
【０００６】
【作用効果】
請求項１〜５記載のいずれの物入れも、上方と前方とが開放された受け部を有する本体と、この本体の前記受け部に対し、その前方側に回動可能に支持され、前記受け部とともに物入れ部を形成する回動部材とを備えているので、請求項１〜５記載のいずれの物入れによっても、ラップケース等の小物を物入れ部に対して出し入れする際に、回動部材が前方側に回動し、小物を容易に出し入れすることができる。
そして、さらに、
請求項１記載の小物入れによれば、前記回動部材が、前板とこの前板と一体に形成された底板とを有し、背板を有していないので、ラップケース等の小物を物入れ部に入れる際に、小物の下端が回動部材の背板上縁部に当接するという事態が生じなくなる。
したがって、小物を物入れ部により一層入れ易くなるという効果が得られる。
請求項２記載の小物入れによれば、前記回動部材が本体側に向かって回動した際、回動部材の底板上面が、水平線よりも、本体側に向かって下り傾斜状となるので、物入れ部に入れられた小物が、略確実に本体側に向かってこれにもたれかかるように倒れることとなる。
したがって、物入れ部に入れられたラップケース等の小物の状態が安定するという効果が得られる。
請求項３記載の小物入れによれば、前記回動部材の、受け部の前方側への回動位置を規制するストッパが、本体側に設けられているので、回動部材が本体側に向かって回動した際に、ストッパを逃がすためのスペースを設ける必要がなくなる。
したがって、本体背部にデッドスペースが生じるということもなくなるという効果が得られる。
請求項４記載の小物入れによれば、請求項３記載の小物入れにおいて、前記ストッパの上面が、前記受け部の内側に向かって下り傾斜状となっているので、ストッパが本体側に設けられているにもかかわらず、ラップケース等の小物を物入れ部に入れる際にストッパが邪魔になるということがなくなる。
請求項５記載の小物入れによれば、前記回動部材は、その左右方向両端部分においてのみ前記本体によって回動可能に支持されているので、その支持部における摩擦抵抗が低減し、回動部材の円滑な回動動作が得られることとなる。
したがって、小物の出し入れがより一層容易になるという効果が得られる。
【０００７】
【発明の実施の形態】
以下、本発明の実施の形態について図面を参照して説明する。
図１は本発明に係る小物入れの一実施の形態を示す図で、（ａ）は平面図、（ｂ）は正面図である。図２（ａ）は右側面図、（ｂ）は図１（ｂ）におけるＩＩｂ−ＩＩｂ断面図である。また、図３は本体を示す図で、（ａ）は正面図、（ｂ）は図（ａ）におけるｂ−ｂ断面図である。図４は本体の平面図である。図５は回動部材を示す図で、（ａ）は部分切断平面図、（ｂ）は正面図、（ｃ）は右側面図、（ｄ）は図（ｂ）におけるｄ−ｄ断面図である。
【０００８】
主として図１，図２に示すように、この実施の形態の小物入れ１０は、上方Ｕ（図２参照）と前方Ｆとが開放された受け部２１（図３，図４参照）を有する本体２０と、この本体２０の受け部２１に対し、その前方Ｆ側に回動可能に支持され（図２仮想線参照）、受け部２１とともに物入れ部１１を形成する回動部材３０とを備えている。
【０００９】
本体２０は合成樹脂による一体成型品であり、図３，図４に示すように、背板２２と、側板２３，２３と、仕切板２４，２４とを有しており、これらによって、上記受け部２１が３つ形成されている。側板２３，２３および仕切板２４，２４の前側下部は、連結部２５で連結されているとともに、中央の受け部２１（仕切板２４同士の間）には底板２６が設けられている。また、両側の受け部２１，２１には、その下縁に沿ってのみＵ字型に底板２７が設けられている。これら連結部２５および底板２６、２７によって本体の強度が強くなっている。
側板２３および仕切板２４は、その前部側の厚さｔ１に比べて背部側の厚さｔ２の方が大きくなっており、これによって、受け部２１は、平面視で奥側に向かって多少幅狭に形成されている。
【００１０】
回動部材３０は合成樹脂による一体成型品であり、図５に示すように、前板３１と底板３２とを有しているが、背板は有していない。
前板３１と底板３２は、その左右両端部分が薄い略三日月形（内縁部３３ａが湾曲している略Ｌ字型）の側板３３によって連結され、これによって回動部材３０の強度が強くなっている。
回動部材３０の幅は、上記受け部２１の形状と適合するように、前部側の幅Ｗ１が背部側の幅Ｗ２に比べて多少大きくなっている。
前板３１と底板３２とは、その左右方向両端部分においてのみ側板３３で連結されており、中間部分（側板３３同士の間）は開口３４となっている。側板３３の角部３３ａは円弧状に形成されており、この円弧部３３ａが本体２０の連結部２５の略断面円弧状の上面２５ａ（図２（ｂ）参照）によって支持されている。したがって、回動部材３０は、その左右方向両端部分においてのみ本体２０によって回動可能に支持されていることとなる。
【００１１】
前板３１の幅Ｗ３（図５（ａ）参照）は、その両端部３１ａが側板３３の外側面３３ｂよりも多少突出するように形成されており、この突出部３１ａが、図２（ａ）および図１に示すように本体２０の側板２３ないし仕切板２４の前面２３ａないし２４ａ（図３参照）に当接することによって、回動部材３０の本体２０側（図２（ｂ）における時計方向）への回動が規制されている。
一方、図１（ａ）、図２（ｂ）、図３、および図４に示すように、本体２０の側板２３の内側面および仕切板２４の両側面の背部側下方には、ストッパ２８が一体的に形成されており、回動部材３０が図２（ｂ）に仮想線で示すように前方Ｆ側（図２（ｂ）において反時計方向）へ回動した際、回動部材３０の側板３３の後端上部３３ｃ（図５参照）が前記ストッパ２８に下方から当接することによって、回動部材３０の、前方Ｆ側への回動位置が規制されるようになっている。
したがって、回動部材３０は、図２（ｂ）に仮想線で示すように前方Ｆ側へ、また実線で示すように本体２０側へ回動可能である。
そして、回動部材３０は、これが図２（ｂ）に実線で示すように本体２０側に向かって回動した際、その底板３２の上面３２ａが、水平線Ｈよりも、本体側（背部側であり図２（ｂ）において右方）に向かって下り傾斜状となるように形成されている。その傾斜角αは後述する作用が得られるようにすべく適宜設定することが可能である。
また、回動部材３０が図２（ｂ）に仮想線で示すように前方Ｆ側へ回動した際の回動部材３０の重心Ｇは、その回動中心（連結部２５の円弧状上面２５ａの中心部）よりも多少前方Ｆ側に位置している。したがって、図２（ｂ）に仮想線で示すように前方Ｆ側へ回動させられた回動部材３０は、これに外力が作用しない限り、その位置（図２（ｂ）に仮想線で示す位置）に保持される。
【００１２】
図３（ａ）に示すように、ストッパ２８の上面２８ａは、受け部２１（物入れ部１１）の内側に向かって下り傾斜状となっている。
【００１３】
本体２０の背面には、背板２２に設けた取付穴（だるま穴）２２ａを用いて磁石４０を着脱可能に取り付けることができ、したがって、この小物入れ１０は、磁石４０によって冷蔵庫等の壁面Ｗ（図２（ｂ）参照）に取り付けて使用することも可能である。
【００１４】
以上のような小物入れ１０によれば次のような作用効果が得られる。
この小物入れ１０は、上方Ｕと前方Ｆとが開放された受け部２１を有する本体２０と、この本体２０の前記受け部２１に対し、その前方Ｆ側に回動可能に支持され、前記受け部２１とともに物入れ部１１を形成する回動部材３０とを備えているので、この小物入れ１０によれば、図６（ａ）（ｂ）に示すように、ラップケース等の小物５０を物入れ部１１に対して出し入れする際に、回動部材３０が前方Ｆ側に回動し（図（ａ）の仮想線参照）、小物５０を容易に出し入れすることができる。
また、図６（ａ）に矢印Ｂで示すように小物５０を取り出した際に、回動部材３０が仮想線で示すように回動すると、これがそのままの位置に維持されるので、その後、矢印Ａで示すように再び小物５０を入れる際には、一層容易に入れることができる。
そして、さらに、次のような作用効果が得られる。
（ａ）回動部材３０が、前板３１とこの前板３１と一体に形成された底板３２とを有してはいるが、背板を有していないので、ラップケース等の小物５０を物入れ部１１に入れる際に、小物５０の下端５１（図６（ａ）参照）が回動部材３０の背板上縁部に当接するという事態が生じなくなる。
したがって、小物５０を物入れ部１１により一層入れ易くなるという効果が得られる。
しかも、図６（ａ）に示すように、小物５０の下端角部５２を本体２０の背板２２の内面２２ｂに沿わせるようにしてこの内面２２ｂをガイドとして入れることも可能になるので、小物５０をより一層容易に入れることが可能となる。
（ｂ）図６（ｂ）に示すように、回動部材３０が本体２０側に向かって回動した際、回動部材３０の底板３２の上面３２ａが、水平線Ｈよりも、本体２０側に向かって下り傾斜状となるので、物入れ部１１に入れられた小物５０が、略確実に本体２０の背板２２側に向かってこれにもたれかかるように倒れることとなる。
したがって、物入れ部１１に入れられたラップケース等の小物５０の状態が安定するという効果が得られる。
（ｃ）回動部材３０の、前方Ｆ側への回動位置を規制するストッパ２８が、本体２０側に設けられているので、図６（ｂ）に示すように回動部材３０が本体２０側に向かって回動した際に、ストッパを逃がすためのスペースを設ける必要がなくなる。
したがって、本体２０の背部にデッドスペースが生じるということもなくなるという効果が得られる。
（ｄ）図３（ａ）に示したように、ストッパ２８の上面２８ａが、受け部１１の内側に向かって下り傾斜状となっているので、ストッパ２８が本体２０側に設けられているにもかかわらず、図６（ａ）矢印Ａで示すようにラップケース等の小物５０を物入れ部１１に入れる際にストッパ２８が邪魔になるということがなくなる。
すなわち、図６（ａ）矢印Ａで示すようにラップケース等の小物５０を物入れ部１１に入れる際に、仮に小物５０の下端５１がストッパ２８に当接したとしても、小物５０の下端５１はストッパ２８の上面２８ａ上を滑るようにして上面２８ａに案内されてストッパ２８を容易に乗り越えることとなるので、ストッパ２８が邪魔になるということがない。
（ｅ）回動部材３０は、その左右方向両端部分３３ａにおいてのみ本体２０によって回動可能に支持されているので、その支持部における摩擦抵抗が低減し、回動部材３０の円滑な回動動作が得られることとなる。
したがって、小物５０の出し入れがより一層容易になるという効果が得られる。
【００１５】
以上、本発明の実施の形態について説明したが、本発明は上記の実施の形態に限定されるものではなく、本発明の要旨の範囲内において適宜変形実施可能である。
【００１６】
【図面の簡単な説明】
【図１】本発明に係る小物入れの一実施の形態を示す図で、（ａ）は平面図、（ｂ）は正面図である。
【図２】同上実施の形態を示す図で、（ａ）は右側面図、（ｂ）は図１（ｂ）におけるＩＩｂ−ＩＩｂ断面図である。
【図３】同上実施の形態の本体を示す図で、（ａ）は正面図、（ｂ）は図（ａ）におけるｂ−ｂ断面図である。
【図４】同上本体の平面図である。
【図５】同上実施の形態の回動部材を示す図で、（ａ）は部分切断平面図、（ｂ）は正面図、（ｃ）は右側面図、（ｄ）は図（ｂ）におけるｄ−ｄ断面図である。
【図６】（ａ）（ｂ）はそれぞれ作用説明図である。
【図７】（ａ）（ｂ）は従来技術の説明図である。
【符号の説明】
１０    小物入れ
Ｕ    上方
Ｆ    前方
Ｈ    水平線
１１    物入れ部
２０    本体
２１    受け部
２８    ストッパ
２８ａ  ストッパの上面
３０    回動部材
３１    前板
３２    底板
３２ａ  底板上面
３３ａ  左右方向両端部分
【図１】
0004548906.tif 000002
【図２】
0004548906.tif 000003
【図３】
0004548906.tif 000004
【図４】
0004548906.tif 000005
【図５】
0004548906.tif 000006
【図６】
0004548906.tif 000007
【図７】
0004548906.tif 000008